(57)【特許請求の範囲】
【請求項１】
穂木の茎をＶ字形に切断するための切断装置であって、一対の切断刃をＶ字形に並べ、刃先側が先鋭となるようになし、かつ切断刃の刃先の長手方向の一端が当接して閉じ、他端が拡開する状態にし、しかも上記一端側が他端側に対して前傾するように設けるとともに、上記切断刃に対して交差するように穂木載せ台を垂直に移動可能に設け、穂木の茎を上記刃先の拡開部から通して穂木載せ台上に支持させ、載せ台を上下方向に移動させて上記茎を切断刃の閉じ部を通過させることにより、上記茎を切断することを特徴とする接ぎ木用穂木の切断装置。
【発明の詳細な説明】
【０００１】
【発明の属する技術分野】
本発明は、接ぎ木作業の際に穂木の茎をＶ字形に切断するために使用される接ぎ木用穂木の切断装置に関する。
【０００２】
【従来技術】
野菜や果物の苗木を接ぎ木する方法として、従来から割り接ぎが広く行なわれている。この割り接ぎは、穂木の茎をＶ字形に切断して、縦に割り込んだ台木の先端に差し込んでクリップなどで留める方法である。穂木の先端をＶ字形に切断する装置については、特許第３０２３４３７号明細書に示されているようなものが知られている。これは、１対の切断刃をＶ字形になるように設け、その一端側に穂木案内用のガイドスリットを形成し、穂木の両端を手に持ち、茎を切断刃側に差し込み、切断刃の長手方向に茎がガイドスリットに接するまで平行移動した後、茎の軸方向に平行移動させてＶ字形に切断するものである。
【０００３】
【発明が解決しようとする課題】
しかしながら、上記切断装置によれば、切断刃による抵抗が強すぎるのに対し、穂木の茎の強さや太さが異なるので途中で折れるものがあったり、穂木を平行に移動できなかったりしたためにきれいなＶ字形に切断できず、茎が単に斜めや横に切断される現象も発生することがあった。
【０００４】
本発明は上記問題点を解消し、常に簡単かつ容易に穂木の茎をＶ字形に切断することができる接ぎ木用穂木の切断装置を提供することをその課題とする。
【０００５】
【課題を解決するための手段】
前記課題を解決するため、本発明に係る接ぎ木用穂木の切断装置は、穂木の茎をＶ字形に切断するための切断装置であって、一対の切断刃をＶ字形に並べ、刃先側が先鋭となるようになし、かつ切断刃の刃先の長手方向の一端が当接して閉じ、他端が拡開する状態にし、しかも上記一端側が他端側に対して前傾するように設けるとともに、上記切断刃に対して交差するように穂木載せ台を垂直に移動可能に設け、穂木の茎を上記刃先の拡開部から通して穂木載せ台上に支持させ、載せ台を上下方向に移動させて上記茎を切断刃の閉じ部を通過させることにより、上記茎を切断することを特徴とする。
【０００６】
【発明の実施の形態】
図１は接ぎ木用穂木の切断装置の斜視図で、同図において符号１はベースで、ベース１上には１対の切断刃固定金具２が設けられている。切断刃固定金具２はベース１に横片２ａを固定したＬ字金具の縦片２ｂと板状片２ｃとの間に切断刃３を挟持固定したもので、切断刃３は、詳しくはＶ字形に並べられ、刃先側が先鋭となるようになし、切断刃３の刃先３ａの長手方向の一端（上端）が当接して閉じ、他端（下端）が拡開する状態にし、しかも上記一端側が他端側に対して前傾するように固定されている。この場合、切断刃固定金具２に固定された切断刃３が両刃であるときは、刃先３ａが当接した状態のときに形成される三角形を断面とする三角柱４の両側面に添って傾斜するように配置すると、切断途中で茎に刃が押しのけられ、くさび形の先端まで切断できない。そのため、図２（ａ）  （ｂ）  に示されるように、上記三角柱４の両側面よりも広角度するのが好ましい。
【０００７】
切断刃３の配置に関する設定値の例を図３に示す。穂木の軸径２ｍｍの切断面の長さが約６ｍｍにするときは、くさび角θは約１８°に設定すればよい。切断刃の長さＬは６５ｍｍとしたとき、穂木の軸径の最大値を４ｍｍとしてＸを４ｍｍとする。θ＝１８°であるから、Ｙ＝２／ｓｉｎ９でほぼ１２．６ｍｍと設定すればよい。
【０００８】
なお、切断刃は両刃である必要はなく、図４（ａ）  （ｂ）  （ｃ）  に示されるように、片刃を組み合わせたものであってもよい。１５は穂木を示す。
【０００９】
次に、ベース１には上記切断刃固定金具２の両側に断面コ字形の支柱５が固定されている。両側の支柱５の間には穂木載せ板６ａが垂直に移動可能に設けられている。この穂木載せ板６ａは上記切断刃３に対して交差するように設けられている。載せ板６ａに切断刃３が貫通できるようにＶ字形のスリット７が形成されている。穂木載せ板６ａが垂直に移動するのに対し、切断刃３は前傾しているから、その分スリット７は大きく形成されている。図５に示すように、穂木載せ板６ａ（の切断刃３のＶ字形の前方側、後方側又は前後方両側）には支持台６ｂが形成され、これによって穂木載せ台６が構成されている。支持台６ｂは穂木の茎を安定に支持できるように中央がへこんでいる。そして、上記穂木載せ板６ａの両側には摺動体８が固定されている。各摺動体８は支柱５と同じ幅のコ字形部８ａの両側に細長板部８ｂを固定してなるもので、上記支柱５の三方の側面に係合した状態で上記支柱５の長手方向に沿って摺動可能に配置され、両側の摺動体８に上記穂木載せ板６ａが固定されている。また、一方の支柱５の上端のローラ１０には紐１１が掛けられ、紐１１の他端は一方の穂木載せ板６ａに固定されている。なお、上記穂木載せ板６ａとベース１との間にはバネ（図示せず）が取り付けられている。そして穂木載せ板６ａは下方に移動するように上記バネで付勢されている。これにより、紐１１の一端に設けられた把手１２を引くと、摺動体８とともに穂木載せ板６ａが上動する。把手１２を離すと、バネの力により下動する。なお、穂木載せ板６ａの可動範囲の上限と下限を決めるストッパを支柱５に設けるのが好ましい。
【００１０】
上記構成において、穂木を切断するときは、図１に示されるように、穂木載せ台６はバネにより下端位置にセットされる。この位置にあるときは、図２に示されるように、１対の切断刃３の刃先３ａの拡開部１３と穂木載せ板６ａとの間には前後からみたときに三角形の空間Ｓが形成されている。そこで、穂木１５の茎の根本側を装置の後ろ側から上記拡開部１３間の空間部Ｓに挿入して支持台６ｂ上に支持させ、穂木１５の葉側を必要に応じて手等で支持する。そして、把手１２を下に引くと、図６に示されるように、穂木載せ台６は上昇する。そのため、穂木１５も上昇するが、切断刃３の刃先３ａの間の間隔はだんだん狭くなるので、上記間隔が穂木１５の茎の径よりも小さくなると、刃先３ａは茎に食い込む。ところで、刃先３ａは前傾しているので、茎の切断部もだんだんと前側に移動し、しかも前側に移動するときは刃先３ａの間隔もより小さくなるので、刃先３ａは茎に対して斜めに食い込み、その度合いもより深くなる。そして、最後には刃先３ａの先端の閉じ部１４では間隔は零になるから、ここを通り過ぎたときは、図７に示されるように、穂木１５の茎は前後に分離され、葉側はＶ字形に切断される。以上の穂木の切断態様を図８（ａ）  （ｂ）  （ｃ）  に示した。
【００１１】
なお、図９に詳しく示されるように、穂木１５の茎に切断刃３との摩擦等が作用し、穂木の茎は支持台６ｂのＶ字形の溝に押し付けられるため、茎の軸中心が規制されるので、正確にくさび形に切断できる。そして、常にくさび角がθの角度に保持されるから、切断ミスがない。
【００１２】
切断後は把手１２を離すことにより、穂木載せ台６はバネ力により元の下端位置に戻り、次の切断が準備される。
【００１３】
上述の切断装置によれば、穂木１５は穂木載せ台６に支持された状態で切断されるから、常に簡単かつ容易に穂木の茎をＶ字形に切断することができる。
【００１４】
なお、穂木載せ台は必ずしも手動に限らない。電動で動かすようにしてもよい。
【００１５】
また、上記図示例は、切断刃の上端が閉じ、下端が開いた状態のものであるが、その反対に切断刃の上端が拡開し、下端が閉じた状態にしてもよい。この場合、穂木載せ台は穂木を挟み具等で保持できるように構成し、上から下に移動させることにより切断する。
【００１６】
同様に、切断刃を横に配置する構成であってもよい。
【図面の簡単な説明】
【図１】本発明に係る接ぎ木用穂木の切断装置の斜視図
【図２】（ａ）  （ｂ）  は切断刃の設定態様説明図
【図３】切断刃の具体的な設定値の例を示す説明図
【図４】切断刃を片刃とした場合の組み合わせ例
【図５】穂木載せ台の要部の斜視図
【図６】上記切断装置による穂木の切断途中の説明図
【図７】上記切断装置により穂木を切断した状態の説明図
【図８】（ａ）  （ｂ）  （ｃ）  は穂木の切断態様説明図
【図９】穂木の切断途中における要部の拡大図
【符号の説明】
３  切断刃
６  穂木載せ台
１３  拡開部
１４  閉じ部
１５  穂木
【図１】
0003565787.tif 000002
【図２】
0003565787.tif 000003
【図３】
0003565787.tif 000004
【図４】
0003565787.tif 000005
【図５】
0003565787.tif 000006
【図６】
0003565787.tif 000007
【図７】
0003565787.tif 000008
【図８】
0003565787.tif 000009
【図９】
0003565787.tif 000010